(57)【要約】【課題】園芸用支柱或いはビニ−ルハウス等の枠材を組み立てる時、支柱及び枠材が直交または任意の角度で交差する部分を簡単で確実に固定するものであり、安定した枠組みをすることができると共に取り外しも簡単にできる固定クリップを提供する。【解決手段】第１の辺と所定の角度をなして連続する第２の辺からなる本体部と、第１の辺に連続し、第１の辺と第２の辺によって形成される平面に対して直角方向に延び、略コの字形の形状をなし、その先端が第１の辺の方向へ湾曲した第１のフックと、第２の辺に連続し、前記平面に対して直角であって、第１のフックとは反対方向に延び、その先端が第１の辺に対して反対方向へ湾曲した略Ｊ字形の形状をなす第２のフックとから構成されることを特徴とする。【選択図】  図１
2012115257.tif 000002
【特許請求の範囲】
【請求項１】
第１の辺と、前記第１の辺と所定の角度をなして連続する第２の辺からなる本体部と、前記第１の辺に連続し、前記第１の辺と前記第２の辺によって形成される平面に対して直角方向に延びる第１のフックと、前記第２の辺に連続し、前記平面に対して直角であって、前記第１のフックとは反対方向に延びる第２のフックとから構成されることを特徴とする固定クリップ。
【請求項２】
前記第１のフックは、前記第２の辺に対して反対方向へ屈曲する略コの字形の形状をなし、前記第２のフックは、その先端が前記第１の辺に対して反対方向へ湾曲した略Ｊ字形の形状をなすことを特徴とする請求項１に記載の固定クリップ。
【請求項３】
前記第１のフックは、そのなす平面が前記第１の辺に対して所定の角度をなし、前記第２のフックは、そのなす平面が前記第２の辺に対して所定の角度をなすことを特徴とする請求項２に記載の固定クリップ。
【請求項４】
前記第１のフックは、その先端が前記第１の辺の方向へ湾曲することを特徴とする請求項２または３に記載の固定クリップ。
【発明の詳細な説明】
【技術分野】
【０００１】
本発明は、園芸用支柱或いはビニ−ルハウス等の枠材を組み立てる時、支柱及び枠材が直交したりまたは任意の角度で交差したりする部分を簡単で確実に固定するものであり、安定した枠組みをすることができると共に取り外しも簡単にできる固定クリップである。 
【背景技術】
【０００２】
園芸において、キュウリ等を栽培する際には、生育するツルを伝わせるために、一般に直径８ｍｍ〜２０ｍｍの支柱を土壌に立てるとともに複数の支柱の交差部を紐や針金で縛り枠組みをして用いているため、縛る作業に手間と時間を必要としていた。
【０００３】
この面倒な縛る作業を簡便化するために、「支柱固定クリップ」（例えば、特許文献１参照。）や「枠材組立用締具」（例えば、特許文献２参照。）などが提案されている。一方、ビニ−ルハウス等を組み立てる時は、一般に直径２２ｍｍ〜４８．６ｍｍの金属の枠材を枠組みして用いているが、それを固定するために「ビニ−ルハウスの骨材固定用楔」（例えば、特許文献３参照。）などが提案されている。
【０００４】
特許文献１記載の「支柱固定クリップ」は支柱を挟持する３個の挟持片を備えていて、その中の１個が他の２個に対して直角に形成され、これらの挟持片で直交するそれぞれの支柱を挟持して固定するものである。特許文献２記載の「枠材組立用締具」は鉄等の金属線を縦長の逆Ｕ字形に折り曲げて縦枠材締付部を形成し、さらに逆Ｕ字形の辺の中間部を折り曲げて横枠材締付部を形成したもので、この縦および横枠材締付部を直交するそれぞれの支柱へ掛けて固定するものである。特許文献３記載の「ビニ−ルハウスの骨材固定用楔」は中央部に湾曲した支柱材抱持部を形成した略Ｕ字状金具で、その両側壁部の下方から側壁部の略中央にかけ、梁材が嵌入する係合切り欠きを形成し、両側壁部の下端に内側へ向け屈曲部を形成したものであり、梁材と前記屈曲部間に楔を打ち込むことにより梁材どうしを固定するものである。
【先行技術文献】
【特許文献】
【０００５】
【特許文献１】特開２００４−２９８０１５号公報
【特許文献２】特開平１０−４７３２０号公報
【特許文献３】特開２００８−３０１７６５号公報
【発明の概要】
【発明が解決しようとする課題】
【０００６】
特許文献１記載の「支柱固定クリップ」、特許文献２記載の「枠材組立用締具」や、特許文献３記載の「ビニ−ルハウスの骨材固定用楔」は支柱や枠材を固定するものであり、いずれも取扱いが容易で、作業を簡便化するものであるが、２本の支柱あるいは２本の枠材を係合する方向が９０度に定まり、直角方向に交差している場合にしか使えないため、枠組みとしては不安定さが残る。
【０００７】
本発明が解決しょうとする課題は、２本の支柱あるいは２本の枠材が直交している場合だけではなく互いに任意の角度で交差している場合でも、確実に固定することができると同時に安定した枠組みをすることができ、しかも取扱いが容易な、固定クリップを提供することにある。
【課題を解決するための手段】
【０００８】
本発明の固定クリップは、第１の辺と、前記第１の辺と所定の角度をなして連続する第２の辺からなる本体部と、前記第１の辺に連続し、前記第１の辺と前記第２の辺によって形成される平面に対して直角方向に延びる第１のフックと、前記第２の辺に連続し、前記平面に対して直角であって、前記第１のフックとは反対方向に延びる第２のフックとから構成されることを特徴とするものである。
【０００９】
前記第１のフックは、前記第２の辺に対して反対方向へ屈曲する略コの字形の形状をなし、前記第２のフックは、その先端が前記第１の辺に対して反対方向へ湾曲した略Ｊ字形の形状をなし、
【００１０】
さらに前記第１のフックは、そのなす平面が前記第１の辺に対して所定の角度をなし、前記第２のフックは、そのなす平面が前記第２の辺に対して所定の角度をなし、
【００１１】
また前記第１のフックは、その先端が前記第１の辺の方向へ湾曲するように形成されている。
【００１２】
前記固定クリップは、素材とする金属線の有する弾力性を利用するもので、直交あるいは任意の角度で交差する直径８ｍｍ〜２０ｍｍの園芸用支柱や、直径２２ｍｍ〜４８．６ｍｍのビニ−ルハウス等の金属の枠材（以下支柱と記す）を押圧して固定するものである。
【００１３】
前記固定クリップを使用するときは、直交あるいは任意の角度で交差する２本の支柱の一方に前記第１のフックを掛け、前記本体部を前記交差部の対角方向へ当接させて、前記第２の辺を前記第１のフックを掛けている支柱側の方向へ撓ませることにより前記本体部の屈曲部において前記交差部を押圧し、前記第１のフックを掛けている支柱に前記第２のフックを掛けて支柱どうしを固定し、その固定状態を維持するものである。
【００１４】
このとき、前記固定クリップが支柱に及ぼす押圧力により生じる、前記本体部と前記本体部が当接している支柱間の摩擦力、および直交あるいは任意の角度で交差する支柱どうしの間の摩擦力、および前記本体部の押圧力に対する反力により生じる、前記第２のフックと第２のフックを掛けた支柱間の摩擦力、および前記第１のフックの、それを掛けている支柱に対するこじりによる抵抗力のために支柱どうしを簡単にしかも確実に固定することができる。
【００１５】
また、前記本体部の屈曲部の曲率半径を、屈曲部が当接している支柱の半径より大きくすることにより屈曲部と該支柱の接触は点接触となり、この接触点を中心として前記固定クリップと該支柱との間には相対的な回転動作が可能となる。このため支柱どうしが直交したときだけでなく、任意の角度で交差したときも固定することができ、安定した確固な枠組みをすることができる。
【００１６】
また、前記固定クリップを使用したとき、前記固定クリップの固定力の要素の１つである前記第１のフックのこじりによる抵抗力が大きいために、前記固定力の強さに方向性が生じ、前記第１のフックを掛けた支柱の軸方向において大きく、他方の支柱の軸方向へはその１/３程度の大きさとなる。そのため前記固定クリップを使用するときは２個を１組として使用すれば、さらに強固で確実な固定力が得られる。
【００１７】
また固定クリップには支柱の直径や枠組みの大きさによって必要な固定力が要求され、その固定力に応じて、素材として直径が１．２ｍｍ〜５．０ｍｍの範囲のいずれかの弾力性の強い金属線を用い、材質としてピアノ線、硬鋼線、ばね用炭素鋼オイルテンパ−線、ばね用シリコンマンガン鋼オイルテンパ−線、ばね用ステンレス鋼線のいずれかを用いる。
【発明の効果】
【００１８】
本発明を使用すると、支柱の枠組みの際、任意の角度での枠組みが可能になるため、直交だけの枠組みのときの不安定さがなくなり安定した確固な枠組みをすることができる。
【００１９】
また、取扱いが容易であるために、枠組みあるいは取り外しの作業に要する時間と手間は、従来の紐や針金で縛り枠組みをする方法と比較して大幅に節減することができる。
【００２０】
さらに、固定クリップが有する弾撥性もフック部で抑止されるために、弾けることなく安全に取り扱うことができる。
【図面の簡単な説明】
【００２１】
【図１】本体部の第１の辺と第２の辺の長さが異なる場合の、本発明の固定クリップＣ１の斜視図である。
【図２】支柱どうしが直交した時の固定クリップＣ１の使用状態を示した正面図である。
【図３】支柱どうしが任意の角度で交差した時の固定クリップＣ１の使用状態を示した正面図である。
【図４】固定クリップＣ１の自由なときの状態と、使用したときの状態の比較図である。
【図５】固定クリップＣ１あるいはＣ２を使用して支柱を枠組みしたときの正面図である。
【図６】固定クリップＣ１あるいはＣ２を使用して支柱を枠組みしたときの側面図である。
【図７】固定クリップＣ１あるいはＣ２を使用したときの第１のフックの状態図である。
【図８】固定クリップＣ１あるいはＣ２を使用したときの第２のフックの状態図である。
【図９】本体部の第１の辺と第２の辺の長さが等しい場合の、本発明の固定クリップＣ２の斜視図である。
【図１０】支柱どうしが直交した時の固定クリップＣ２の使用状態を示した正面図である。
【図１１】支柱どうしが任意の角度で交差した時の固定クリップＣ２の使用状態を示した正面図である。
【図１２】固定クリップＣ２の自由なときの状態と、使用したときの状態の比較図である。
【発明を実施するための形態】
【００２２】
〈実施形態１〉
以下、図面に基づいて本発明の実施形態１を説明する。図１に示すように本実施形態の固定クリップＣ１は、第１の辺２ａと、前記第１の辺２ａと所定の角度７ａをなして連続する長さの異なる第２の辺３ａからなる本体部１ａと、
【００２３】
前記第１の辺２ａに連続し、前記第１の辺２ａと前記第２の辺３ａによって形成される平面に対して直角方向に延びる第１のフック４ａと、
【００２４】
前記第２の辺３ａに連続し、前記平面に対して直角であって、前記第１のフック４ａとは反対方向に延びる第２のフック５ａとから構成されている。
【００２５】
前記第１のフック４ａは、前記第２の辺３ａに対して反対方向へ屈曲する略コの字形の形状をなし、
【００２６】
前記第２のフック５ａは、その先端が前記第１の辺２ａに対して反対方向へ湾曲した略Ｊ字形の形状をなし、
【００２７】
さらに図４に示すように前記第１のフック４ａは、そのなす平面が前記第１の辺２ａに対して所定の角度８ａをなし、前記第２のフック５ａは、そのなす平面が前記第２の辺３ａに対して所定の角度９ａをなし、
【００２８】
また前記第１のフック４ａは、その先端が突出して作業者に対して危険を及ぼすのを防ぐために前記第１の辺２ａの方向へ湾曲するように形成されている。
【００２９】
前記固定クリップＣ１は、固定される支柱の直径の大きさに応じて、前記本体部１ａについては、前記第１の辺２ａの長さを２０ｍｍ〜１２０ｍｍの範囲、前記第２の辺３ａの長さを４０ｍｍ〜２６０ｍｍの範囲、前記第１の辺２ａと前記第２の辺３ａの屈曲部の半径を５ｍｍ〜３５ｍｍの範囲、およびこの２辺がなす所定の角度７ａを７０度〜１２０度の範囲において形成し、
【００３０】
前記第１のフック４ａについては、幅を１０ｍｍ〜８０ｍｍの範囲、および高さを１０ｍｍ〜８０ｍｍの範囲において略コの字形の形状に形成し、その先端が突出して作業者に対して危険を及ぼすのを防ぐために、該先端を半径が５ｍｍ〜３０ｍｍの範囲において前記第１の辺２ａの方向へ湾曲するように形成し、
【００３１】
前記第２のフック５ａについては、その高さを１０ｍｍ〜８０ｍｍの範囲、その先端を前記第１の辺２ａに対して反対方向へ半径が５ｍｍ〜３０ｍｍの範囲において円弧状に湾曲させて、略Ｊ字形の形状に形成したものである。
【００３２】
また図４において前記第１のフック４ａは、前記第１の辺２ａと支柱Ｐ１のなす角度が９０度に近づくことにより前記第１のフック４ａの幅が大きくなるのを防ぐために、前記第１の辺２ａと前記第１のフック４ａのなす平面とがなす所定の角度８ａを４５度〜９０度の範囲において形成し、
【００３３】
前記第２のフック５ａは、前記固定クリップＣ１の外形が大きくなるのを防ぐためと、また使用するのを容易にするために、前記第２の辺３ａと前記第２のフック５ａのなす平面とがなす所定の角度９ａを５０度〜９０度の範囲において形成している。
【００３４】
前記固定クリップＣ１を使用するときは、図２あるいは図３に示すように、直交あるいは任意の角度で交差する２本の支柱の一方の支柱Ｐ１に前記第１のフック４ａを掛け、
【００３５】
他方の支柱Ｐ２あるいはＰ３に前記本体部１ａの屈曲部６ａを前記交差部の対角方向へ当接させて、図４に示すように前記第２の辺３ａを前記支柱Ｐ１側の方向へ角度１０ａだけ撓ませることにより前記屈曲部６ａにおいて前記交差部を押圧し、
【００３６】
また前記第１のフック４ａを角度１１ａだけねじることにより前記支柱Ｐ１に対してこじりを生じさせ、
【００３７】
前記第２のフック５ａを前記支柱Ｐ１に掛けて支柱どうしを固定し、その固定状態を維持する。
【００３８】
そして図２あるいは図３に示すように２個を１組として使用すれば、１個のときと比べてより強固な枠組みが得られる。
【００３９】
さらに図７に示すように前記固定クリップＣ１が有する弾撥性も前記第１のフック４ａで抑止されるために、弾けることなく安全に取り扱うことができる。
【００４０】
また図８に示すように、前記第２のフック５ａの先端は略J字形をなすように湾曲しているために、ひとりでに外れることなく確実に固定した状態を維持することができ、取り外す場合も前記第２のフック５ａを前記支柱Ｐ１から外すだけでよいから取扱いも容易である。
【００４１】
また、前記第２の辺３ａの長さより、前記第１の辺２ａの長さが大きいため、梃子の原理により小さな力で前記第２のフック５ａを操作することができ、素手でも容易に取扱うことができる。しかも前記第１のフック４ａには前記第２のフック５ａを操作する力よりも大きな負荷を受持たせることになり、前記本体部１ａの屈曲部６ａも大きな力で支柱を押圧することができて、確実な固定力が得られる。
〈実施形態２〉
【００４２】
同じく、図面に基づいて本発明の実施形態２を説明する。図９に示すように本実施形態の固定クリップＣ２は、第１の辺２ｂと、前記第１の辺２ｂと所定の角度７ｂをなして連続する長さの等しい第２の辺３ｂからなる本体部１ｂと、
【００４３】
前記第１の辺２ｂに連続し、前記第１の辺２ｂと前記第２の辺３ｂによって形成される平面に対して直角方向に延びる第１のフック４ｂと、
【００４４】
前記第２の辺３ｂに連続し、前記平面に対して直角であって、前記第１のフック４ｂとは反対方向に延びる第２のフック５ｂとから構成されている。
【００４５】
前記第１のフック４ｂは、前記第２の辺３ｂに対して反対方向へ屈曲する略コの字形の形状をなし、
【００４６】
前記第２のフック５ｂは、その先端が前記第１の辺２ｂに対して反対方向へ湾曲した略Ｊ字形の形状をなし、
【００４７】
さらに図１２に示すように前記第１のフック４ｂは、そのなす平面が前記第１の辺２ｂに対して所定の角度８ａをなし、前記第２のフック５ｂは、そのなす平面が前記第２の辺３ｂに対して所定の角度９ｂをなし、
【００４８】
また前記第１のフック４ｂは、その先端が突出して作業者に対して危険を及ぼすのを防ぐために前記第１の辺２ｂの方向へ湾曲するように形成されている。
【００４９】
前記固定クリップＣ２は、固定される支柱の直径の大きさに応じて、前記本体部１ｂについては、前記第１の辺２ｂおよび前記第２の辺３ｂの長さを３０ｍｍ〜２２０ｍｍの範囲、前記第１の辺２ｂと前記第２の辺３ｂの屈曲部の半径を５ｍｍ〜３５ｍｍの範囲、およびこの２辺がなす所定の角度７ｂを１１０度〜１６０度の範囲において形成し、
【００５０】
前記第１のフック４ｂについては、幅を１０ｍｍ〜６５ｍｍの範囲、および高さを１０ｍｍ〜８０ｍｍの範囲において略コの字形の形状に形成し、その先端が突出して作業者に対して危険を及ぼすのを防ぐために、該先端を半径が５ｍｍ〜３０ｍｍの範囲において前記第１の辺２ｂの方向へ湾曲するように形成し、
【００５１】
前記第２のフック５ｂについては、その高さを１０ｍｍ〜８０ｍｍの範囲、その先端を前記第１の辺２ｂに対して反対方向へ半径が５ｍｍ〜３０ｍｍの範囲おいて円弧状に湾曲させて、略Ｊ字形の形状に形成したものである。
【００５２】
また図１２において前記第１のフック４ｂは、その幅が大きくなるのを防ぐために、前記第１の辺２ｂと前記第１のフック４ｂのなす平面とがなす所定の角度８ｂを５０度〜９０度の範囲において形成し、
【００５３】
前記第２のフック５ｂは、前記固定クリップＣ２の外形が大きくなるのを防ぐためと、また使用するのを容易にするために、前記第２の辺３ｂと前記第２のフック５ｂのなす平面とがなす所定の角度９ｂを５０度〜９０度の範囲において形成している。
【００５４】
前記固定クリップＣ２を使用するときは、図１０あるいは図１１に示すように、直交あるいは任意の角度で交差する２本の支柱の一方の支柱Ｐ１に前記第１のフック４ｂを掛け、
【００５５】
他方の支柱Ｐ２あるいはＰ３において前記本体部１ｂの屈曲部６ｂを前記交差部の対角方向へ当接させて、図１２に示すように前記第２の辺３ｂを前記支柱Ｐ１側の方向へ角度１０ｂだけ撓ませることにより前記屈曲部６ｂにおいて前記交差部を押圧し、
【００５６】
また前記第１のフック４ｂを角度１１ｂだけねじることにより前記支柱Ｐ１に対してこじりを生じさせ、
【００５７】
前記第２のフック５ｂを前記支柱Ｐ１に掛けて支柱どうしを固定し、その固定状態を維持する。
【００５８】
そして図１０あるいは図１１に示すように２個を１組として使用すれば、１個のときと比べてより強固な枠組みが得られる。
【００５９】
さらに図７に示すように前記固定クリップＣ２が有する弾撥性も前記第１のフック４ｂで抑止されるために、弾けることなく安全に取り扱うことができる。
【００６０】
また図８に示すように、前記第２のフック５ｂの先端は略J字形をなすように湾曲しているために、ひとりでに外れることなく確実に固定した状態を維持することができ、取り外す場合も前記第２のフック５ｂを前記支柱Ｐ１から外すだけでよいから取扱いも容易である。
【実施例１】
【００６１】
以下、本発明の実施例を説明する。直径２．３ｍｍの硬鋼線を折り曲げて、第１の辺の長さを３８ｍｍ、第２の辺の長さを７４ｍｍとし、前記第１の辺と前記第２の辺の屈曲部の半径を１０ｍｍ、およびこの２つの辺がなす角度を９６度として本体部を形成し、
【００６２】
前記第１の辺に連続し、前記第１の辺と前記第２の辺によって形成される平面に対して直角方向に延び、その幅を２４ｍｍおよび高さを２４ｍｍの略コの字形の形状として、前記第２の辺に対して反対方向へ屈曲させ、その先端が前記第１の辺の方向へ半径１１ｍｍにて円弧状に湾曲させて第１のフックを形成し、かつ前記第１のフックのなす平面と前記第１の辺がなす角度を６９度となるようにし、
【００６３】
前記第２の辺に連続し、前記第１の辺と前記第２の辺によって形成される前記平面に対して直角であって、前記第１のフックとは反対方向に延び、その高さを２６ｍｍとし、その先端を半径１０ｍｍにて前記第１の辺に対して反対方向へ湾曲させた略Ｊ字形の形状として第２のフックを形成し、かつ前記第２のフックがなす平面と前記第２の辺がなす角度を５８度となるようにした固定クリップを用いて、
【００６４】
図５および図６に示すように、縦材と横材及び斜材として直径が１６ｍｍ、長さが１８００ｍｍの園芸用支柱を枠組みしたところ確実で安定した枠組みが得られた。またこのとき横材と斜材のなす角度が２０度〜１２０度の範囲において組み付け可能であった。
【００６５】
また前記園芸用支柱は、細い金属のパイプを合成樹脂の薄い膜にて被覆したものであるから、その表面は金属の表面と比べて滑りにくく、交差部１か所に使用する固定クリップの数は１個で十分であった。
【実施例２】
【００６６】
次に、本発明の実施例１と同様に製作した。直径３．２ｍｍの硬鋼線を折り曲げて、第１の辺の長さを５１ｍｍ、第２の辺の長さを１１３ｍｍとし、前記第１の辺と前記第２の辺の屈曲部の半径を１４ｍｍ、およびこの２つの辺がなす角度を９７度として本体部を形成し、
【００６７】
前記第１の辺に連続し、前記第１の辺と前記第２の辺によって形成される平面に対して直角方向に延び、その幅を３７ｍｍおよび高さを３３ｍｍの略コの字形の形状として、前記第２の辺に対して反対方向へ屈曲させ、その先端が前記第１の辺の方向へ半径１３ｍｍにて円弧状に湾曲させて第１のフックを形成し、かつ前記第１のフックのなす平面と前記第１の辺がなす角度を７６度となるようにし、
【００６８】
前記第２の辺に連続し、前記第１の辺と前記第２の辺によって形成される平面に対して直角であって、前記第１のフックとは反対方向に延び、その高さを３７ｍｍとし、その先端を半径１４ｍｍにて前記第１の辺に対して反対方向へ湾曲させた略Ｊ字形の形状として第２のフックを形成し、かつ前記第２のフックがなす平面と前記第２の辺がなす角度を６３度となるようにした固定クリップを用いて、
【００６９】
直径が２２ｍｍのビニ−ルハウス用の枠材を、枠組みしたところ確実で安定した枠組みが得られた。またこのとき横材と斜材のなす角度が３５度〜１１０度の範囲において組み付け可能であった。
【００７０】
また前記枠材は金属のパイプで、その表面はなめらかで滑りやすいため、交差部１か所に対して固定クリップを２個使用して強固な枠組みが得られた。
【実施例３】
【００７１】
次に、本発明の実施例１と同様に製作した。直径２．３ｍｍのピアノ線を折り曲げて、第１の辺と第２の辺の長さを等しくして、この２辺の長さを７０ｍｍとし、この２辺の屈曲部の半径を１０ｍｍ、およびこの２辺がなす角度を１４０度として本体部を形成し、
【００７２】
前記第１の辺に連続し、前記第１の辺と前記第２の辺によって形成される平面に対して直角方向に延び、その幅を１９ｍｍおよび高さを２４ｍｍの略コの字形の形状として、前記第２の辺に対して反対方向へ屈曲させ、その先端が前記第１の辺の方向へ半径１０ｍｍにて円弧状に湾曲させて第１のフックを形成し、かつ前記第１のフックのなす平面と前記第１の辺がなす角度を９０度となるようにし、
【００７３】
前記第２の辺に連続し、前記第１の辺と前記第２の辺によって形成される平面に対して直角であって、前記第１のフックとは反対方向に延び、その高さを２４ｍｍとし、その先端を半径１０ｍｍにて前記第１の辺に対して反対方向へ湾曲させた略Ｊ字形の形状として第２のフックを形成し、かつ前記第２のフックがなす平面と前記第２の辺がなす角度を５９度となるようにした固定クリップを用いて、
【００７４】
図５および図６に示すように、縦材と横材及び斜材として直径が１６ｍｍ、長さが１８００ｍｍの園芸用支柱を枠組みしたところ確実で安定した枠組みが得られた。またこのとき横材と斜材のなす角度が３０度〜１５０度の範囲で組み付け可能であった。
【００７５】
また前記園芸用支柱は、細い金属のパイプを合成樹脂の薄い膜にて被覆したものであるから、その表面は金属の表面と比べて滑りにくく、実施例１と同様に、交差部１か所に使用する固定クリップの数は１個で十分であった。
【符号の説明】
【００７６】
Ｃ１  固定クリップ
Ｃ２  固定クリップ
１ａ  固定クリップＣ１の本体部
２ａ  本体部１ａの第１の辺
３ａ  本体部１ａの第２の辺
４ａ  固定クリップＣ１の第１のフック
５ａ  固定クリップＣ１の第２のフック
６ａ  第１の辺２ａと第２の辺３ａの屈曲部
７ａ  第１の辺２ａと第２の辺３ａとがなす角度
８ａ  第１の辺２ａと第１のフック４ａの有する平面とがなす角度
９ａ  第２の辺３ａと第２のフック５ａの有する平面とがなす角度
１０ａ  固定クリップＣ１を使用したときの第２の辺３ａのたわみ角
１１ａ  固定クリップＣ１を使用したときの第１のフック４ａの回転角
１ｂ  固定クリップＣ２の本体部
２ｂ  本体部１ｂの第１の辺
３ｂ  本体部１ｂの第２の辺
４ｂ  固定クリップＣ２の第１のフック
５ｂ  固定クリップＣ２の第２のフック
６ｂ  第１の辺２ｂと第２の辺３ｂの屈曲部
７ｂ  第１の辺２ｂと第２の辺３ｂとがなす角度
８ｂ  第１の辺２ｂと第１のフック４ｂの有する平面とがなす角度
９ｂ  第２の辺３ｂと第２のフック５ｂの有する平面とがなす角度
１０ｂ  固定クリップＣ２を使用したときの第２の辺３ｂのたわみ角
１１ｂ  固定クリップＣ２を使用したときの第１のフック４ｂの回転角
Ｐ１  水平方向の支柱
Ｐ２  垂直方向の支柱
Ｐ３  水平方向の支柱Ｐ１に対して任意の角度で交差する支柱
【図１】
2012115257.tif 000003
【図２】
2012115257.tif 000004
【図３】
2012115257.tif 000005
【図４】
2012115257.tif 000006
【図５】
2012115257.tif 000007
【図６】
2012115257.tif 000008
【図７】
2012115257.tif 000009
【図８】
2012115257.tif 000010
【図９】
2012115257.tif 000011
【図１０】
2012115257.tif 000012
【図１１】
2012115257.tif 000013
【図１２】
2012115257.tif 000014